(57)【要約】      （修正有）【課題】組み立てと分解が極めて容易な非常に剛性が高いヒンジ付け式の腕輪を提供する。【解決手段】ヒンジ付け式の腕輪１０であって、腕輪の側方の端を形成する側方部１４を有するＨ字形リンク１１と、及びピン又はねじによって形成されるアーバー１３によって互いにヒンジ付けされた中央リンクとが交互に配置されている構成を有する。少なくとも１つの中央リンクは、基礎２上に配置されるように構成している取り外し可能な表面シェル３を有する装飾リンクであり、基礎は、少なくとも第１のガイドメンバーと第２のガイドメンバーを有し、それらはともに、それぞれ第１の軸Ｄ１と第２の軸Ｄ２を軸とする回転体に対応する形状を有し、第１の軸と第２の軸は、平行であり互いに異なり、アーバーを受けるように構成しており、装飾リンクそれぞれの表面シェルは、その幅の両側にて、Ｈ字形リンクの側方部１４によって囲まれ保護される。【選択図】図２
2018099511.tif 000002
【特許請求の範囲】
【請求項１】
腕時計（１００）又は装飾品（２００）のための計時器又は装飾品用のヒンジ付け式の腕輪（１０）であって、
当該腕輪（１０）の側方の端を形成する側方部（１４）を有するＨ字形リンク（１１）と、及びピン又はねじによって形成されるアーバー（１３）によって互いにヒンジ付けされた中央リンク（１２）とが交互に配置されている構成を有し、
少なくとも１つの前記中央リンク（１２）は、基礎（２）上に配置されるように構成している取り外し可能な表面シェル（３）を有する装飾リンク（１）であり、
前記基礎（２）は、少なくとも第１のガイドメンバー（２１）と第２のガイドメンバー（２２）を有し、
前記第１のガイドメンバー（２１）と前記第２のガイドメンバー（２２）はともに、それぞれ第１の軸（Ｄ１）と第２の軸（Ｄ２）を軸とする回転体に対応する形状を有し、
前記第１の軸（Ｄ１）と前記第２の軸（Ｄ２）は、平行であり互いに異なり、前記アーバー（１３）を受けるように構成しており、
前記装飾リンク（１）それぞれの前記表面シェル（３）は、その幅の両側にて、前記Ｈ字形リンク（１１）の前記側方部（１４）によって囲まれ保護される
ことを特徴とする腕輪（１０）。
【請求項２】
前記基礎（２）は、塊状の固体であり、外側部分に少なくとも１つの下側ハウジング（２４、２５）があり、
前記下側ハウジングは、前記第１のガイドメンバー（２１）又は前記第２のガイドメンバー（２２）によって少なくとも部分的に横断され、前記基礎（２）に対して前記表面シェル（３）のユニークな長手方向の組み立て位置を定めるように構成しており、前記表面シェル（３）にある上側突出要素（３４、３５）と相補的な形態で連係するように構成しており、
前記表面シェル（３）は、実質的に第３の軸（Ｄ３）を軸とする回転体に対応する形状を有する少なくとも第３のガイドメンバー（３１）を有し、
前記第３のガイドメンバー（３１）は、前記組み立て位置において、前記第１の軸（Ｄ１）又は前記第２の軸（Ｄ２）を軸とする形を有する前記第１のガイドメンバー（２１）又は前記第２のガイドメンバー（２２）とそれぞれ整列するように構成している
ことを特徴とする請求項１に記載の腕輪（１０）。
【請求項３】
前記基礎（２）は、前記第１のガイドメンバー（２１）によって横断され、前記表面シェル（３）の第１の上側突出要素（３４）連係するように構成している少なくとも第１の下側ハウジング（２４）と、及び前記第２のガイドメンバー（２２）によって横断され、前記表面シェル（３）の第２の上側突出要素（３５）と連係するように構成している第２の下側ハウジング（２５）とを有する
ことを特徴とする請求項２に記載の腕輪（１０）。
【請求項４】
前記表面シェル（３）は、前記第３の軸（Ｄ３）と平行であり異なる第４の軸（Ｄ４）を軸とする回転体に対応する形状を実質的に有する少なくとも第４のガイドメンバー（４１）を有し、
前記第４のガイドメンバー（４１）は、前記組み立て位置において、前記第１の軸（Ｄ１）又は前記第２の軸（Ｄ２）と整列するように構成している
ことを特徴とする請求項３に記載の腕輪（１０）。
【請求項５】
前記第１の上側突出要素（３４）は、前記第２の上側突出要素（３５）とは異なる輪郭を有し、これによって、前記組み立て位置において、前記基礎（２）に対して前記表面シェル（３９）がユニークな向きを向いていることを確実にする
ことを特徴とする請求項３に記載の腕輪（１０）。
【請求項６】
前記第１の上側突出要素（３４）は、前記第２の上側突出要素（３５）とは異なる輪郭を有し、これによって、前記組み立て位置において、前記基礎（２）に対して前記表面シェル（３）がユニークな向きを向いていることを確実にする
ことを特徴とする請求項３に記載の腕輪（１０）。
【請求項７】
前記基礎（２）には、前記組み立て位置において三次元的に保持するように、前記表面シェル（３）にある上側支持面（３９）と相補的な形態で連係するように構成している下側支持面（２９）がある
ことを特徴とする請求項１に記載の腕輪（１０）。
【請求項８】
少なくとも前記第１のガイドメンバー（２１）又は前記第２のガイドメンバー（２２）は、当該腕輪（１０）の別の要素とのヒンジ付け接続のためのアーバー（１３）を受けるように構成している
ことを特徴とする請求項１に記載の腕輪（１０）。
【請求項９】
少なくとも前記第１のガイドメンバー（２１）又は前記第２のガイドメンバー（２２）は、前記基礎（２）にある、当該腕輪（１０）の他の要素とのヒンジ付け接続のための他のガイドメンバーとは異なる
ことを特徴とする請求項１に記載の腕輪（１０）。
【請求項１０】
前記表面シェル（３）は、前記組み立て位置において、前記基礎（２）を少なくとも部分的に包囲する
ことを特徴とする請求項１に記載の腕輪（１０）。
【請求項１１】
前記表面シェル（３）は、少なくとも２つの整列したヨーク（３７）を有し、
前記ヨーク（３７）はそれぞれ、前記第３の軸（Ｄ３）を軸とする形を有する第３のガイドメンバー（３１）を有し、
前記組み立て位置において、前記基礎（２）にある両側の側面（２８）に配置されるように構成している
ことを特徴とする請求項３に記載の腕輪（１０）。
【請求項１２】
前記表面シェル（３）は、少なくとも２つの整列したヨーク（３７）を有し、
前記ヨーク（３７）はそれぞれ、前記第４の軸（Ｄ４）を軸とする形を有する前記第４のガイドメンバー（４１）を有し、
前記組み立て位置において、前記基礎（２）にある両側の側面（２８）に配置されるように構成している
ことを特徴とする請求項４に記載の腕輪（１０）。
【請求項１３】
前記表面シェル（３）は、少なくとも正面方向（Ｆ）から見たときに前記基礎（２）を隠すように構成しており、前記正面方向（Ｆ）からユーザーに見られるように意図された外観表面（３０）を有する
ことを特徴とする請求項１に記載の腕輪（１０）。
【請求項１４】
前記表面シェル（３）は、貴重な材料で作られており、又は貴重な材料で作られ外観表面（３０）を有する追加要素を含み、又は前記外観表面（３０）を有する貴重な材料の表面層を有する
ことを特徴とする請求項１３に記載の腕輪（１０）。
【請求項１５】
前記基礎（２）は、単独で当該腕輪（１０）の他の要素との接触に耐え、前記要素が前記表面シェル（３）から離れているように維持するように構成する周部当接面（２７）を有する
ことを特徴とする請求項１に記載の腕輪（１０）。
【請求項１６】
前記第３のガイドメンバー（３１）は、前記表面シェル（３）の全幅を横断する
ことを特徴とする請求項１に記載の腕輪（１０）。
【請求項１７】
前記第１のガイドメンバー（２１）と前記第２のガイドメンバー（２２）は、前記基礎（２）の全幅を横断する
ことを特徴とする請求項１に記載の腕輪（１０）。
【請求項１８】
少なくとも前記第１のガイドメンバー（２１）又は前記第２のガイドメンバー（２２）は、前記基礎（２）の全幅を横断しない非貫通のガイドメンバーである
ことを特徴とする請求項１に記載の腕輪（１０）。
【請求項１９】
少なくとも前記第１のガイドメンバー（２１）又は前記第２のガイドメンバー（２２）には、前記アーバー（１３）を形成するアセンブリーねじの雄ねじと連係するように構成している雌ねじが形成されている
ことを特徴とする請求項１に記載の腕輪（１０）。
【請求項２０】
前記Ｈ字形リンク（１１）の前記側方部（１４）にはそれぞれ、前記アーバー（１３）を形成するアセンブリーねじを通すことを可能とするように構成している少なくとも１つのボアが形成されており、
前記アセンブリーねじは、前記基礎（２）にねじ込まれ、前記アセンブリーねじのねじ頭は、前記側方部（１４）上に配置される
ことを特徴とする請求項１に記載の腕輪（１０）。
【請求項２１】
前記表面シェル（３）は、塊状の固体であり、断面がＵ字型であり、中心部を有し、前記中心部は、前記基礎（２）に対向する側にて、上側支持面（３９）を有し、
前記上側支持面（３９）は、前記組み立て位置において、前記基礎（２）にある下側支持面（２９）と当接連係するように構成しており、
前記中心部は、前記基礎（２）の反対側にて、ユーザーに正面方向（Ｆ）から見られるように意図された外観表面（３０）を有し、
前記中心部は、前記第３の軸（Ｄ３）を軸とする形を有する前記第３のガイドメンバー（３１）をそれぞれ有する２つの不連続のウィングを境界としており、
前記ウィングは、前記組み立て位置において、前記基礎（２）にある両側の側面（２８）に配置されるように構成している
ことを特徴とする請求項１に記載の腕輪（１０）。
【請求項２２】
請求項１に記載の腕輪（１０）を有する
ことを特徴とする腕時計（１００）。
【請求項２３】
請求項１に記載の腕輪（１０）を有する
ことを特徴とする装飾品（２００）。
【発明の詳細な説明】
【技術分野】
【０００１】
本発明は、腕時計又は装飾品のための計時器又は装飾品用のヒンジ付け式の腕輪であって、当該腕輪の側面の端を形成する側方部を有するＨ字形のリンクと、及びピンやねじによって形成されるアーバーによって互いにヒンジ付けされた中央リンクとの交互構成を有するものに関する。
【０００２】
本発明は、さらに、この種の腕輪を有する腕時計に関する。
【０００３】
本発明は、さらに、この種の腕輪を有する装飾品に関する。
【０００４】
本発明は、計時器又は装飾品用の腕輪の分野に関する。
【背景技術】
【０００５】
計時器又は装飾品用のヒンジ付け式の腕輪は、ヒンジやリンクに与えられる多くの機械的な応力の影響を受けるため、結果的に、剛性が高いヒンジやリンクを備える必要がある。この剛性の高さは、貴金属の使用と両立できるとはかぎらない。貴金属は、塊状の固体の部品には希にしか用いられず、主として電気鋳造された部品の形態として用いられる。これは、はるかに小さな質量であり、衝撃、へこみ及びねじりの影響を大きく受ける。腕輪に含まれる貴金属のリンクの保護を適切に確実にすることが難しい場合は多い。
【発明の概要】
【発明が解決しようとする課題】
【０００６】
本発明は、非常に剛性が高いヒンジ付け式の腕輪であって、組み立てと分解が極めて容易であり、リンクのために選択された材料によって、又は塗布、エッチング、セットなどのいずれかによって装飾された装飾リンクを有するような腕輪を作ることを提案するものである。
【課題を解決するための手段】
【０００７】
このために、本発明は、請求項１に記載の計時器又は装飾品用のヒンジ付け式の腕輪に関する。
【０００８】
本発明は、さらに、この種の腕輪を有する腕時計に関する。
【０００９】
本発明は、さらに、この種の腕輪を有する装飾品に関する。
【００１０】
添付図面を参照しながら下記の詳細な説明を読むことで、本発明の他の特徴及び利点を理解することができるであろう。
【図面の簡単な説明】
【００１１】
【図１】本発明に係る腕輪の概略斜視図である。
【図２】図１の腕輪の概略斜視分解図であって、図において左から右に、ねじによって形成されたアセンブリーアーバー、Ｈ字形リンク、基礎、これらの基礎と装飾リンクを形成する表面シェル、及び前記ねじと同じねじによって形成された他のアセンブリーアーバーを有する。
【図３】図１の腕輪の部分的な概略側面図である。
【図４】図１の腕輪を正面から見た部分的な概略正面図である。
【図５】図１の腕輪の正中面における部分的な概略断面図である。
【図６】この腕輪の装飾リンクの１つの表面シェルの概略斜視図である。
【図７】図６の表面シェルを下方から見た概略斜視図である。
【図８】この腕輪の装飾リンクの１つの基礎であって、図６の表面シェルを受ける姿勢であるものの上方から見た概略斜視図である。
【図９】この腕輪のＨ字形リンクを上方から見た概略斜視図である。
【図１０】図８の基礎と図９のＨ字形リンクのアセンブリーを上方から見た概略斜視図である。
【図１１】図１０のアセンブリーの概略側面図である。
【図１２】図１１のアセンブリーの概略側面図である。
【図１３】図１の腕輪のアセンブリーねじの概略側面図である。
【図１４】当該腕輪を有する腕時計を示しているブロック図である。
【図１５】当該腕輪を有する装飾品を示しているブロック図である。
【発明を実施するための形態】
【００１２】
本発明は、腕時計１００又は装飾品２００用の計時器又は装飾品用のヒンジ付け式の腕輪１０に関する。
【００１３】
ここで、「腕輪」は、広い意味で、いくつかのリンクの任意のアセンブリーを意味しており、これらのリンクの一部が、クラスプ要素によって、腕時計又は装飾品への固定具によって、又は腕時計又は装飾品によって、形成されていてもよい。特に、腕輪１０のこの定義は、通常腕輪ストランドと呼ばれるもの、すなわち、ユーザーの手首を包囲するように構成している完全な腕輪の一部、をもカバーしている。
【００１４】
ここで、腕輪の「長さ」とは、少なくとも１つのヒンジを外して開いて平坦にしたときに腕輪が延在する方向である長手方向の長さを意味している。「幅」は、長手方向に垂直でありピン又はヒンジが延在している横断方向の幅である。
【００１５】
この腕輪１０は、その長さに沿って、Ｈ字形リンク１１と中央リンク１２が交互に配置される構成を有する。Ｈ字形リンク１１は、腕輪１０の側方の端を形成する側方部１４を有する。組み立てられた腕輪１０の側方の端は、実質的に長手方向に平行に整列しており、特に、横断方向に垂直な正中面に対して対称となっている。ただし、これに限定されない。
【００１６】
Ｈ字形リンク１１と中央リンク１２は、横断方向に延在するピン又はねじによって形成されたアーバー１３によって互いにヒンジ付けされている。
【００１７】
本発明によると、少なくとも１つの中央リンク１２は、装飾リンク１である。
【００１８】
この装飾リンク１は、取り外し可能な表面シェル３を有し、これは、装飾リンク１にある基礎２に接するように配置されるように構成している。この基礎２には、少なくとも第１のガイドメンバー２１と第２のガイドメンバー２２があり、これら両方はそれぞれ、実質的に第１の軸Ｄ１と第２の軸Ｄ２を軸とする回転体に対応する形状を有し、これらの第１の軸Ｄ１と第２の軸Ｄ２は、平行であり互いに離れており、アーバー１３を受けるように構成している。各装飾リンク１の表面シェル３は、その幅の両側にてＨ字形リンク１１の側方部１４によって囲まれ保護される。
【００１９】
図面に示した変形態様（これに制限されない）において、基礎２は、塊状の固体であり、基礎２の外側部分には、少なくとも１つの下側ハウジング２４、２５があり、これは、第１のガイドメンバー２１又は第２のガイドメンバー２２によって少なくとも部分的に横断され、基礎２に対して表面シェル３用のユニークな長手方向の組み立て位置を定めるように構成している。すなわち、この下側ハウジング２４、２５は、表面シェル３にある上側突出要素３４、３５と相補的な形態で連係するように構成している。表面シェル３には、少なくとも第３のガイドメンバー３１があり、これは、実質的に第３の軸Ｄ３を軸とする回転体に対応する形状を有し、組み立て位置において、第１の軸Ｄ１又は第２の軸Ｄ２にて、第１のガイドメンバー２１又は第２のガイドメンバー２２と整列するように構成している。
【００２０】
特に、図示した変形態様において、基礎２には、第１のガイドメンバー２１によって横断され表面シェル３の第１の上側突出要素３４と連係するように構成している少なくとも第１の下側ハウジング２４と、及び第２のガイドメンバー２２によって横断され表面シェル３の第２の上側突出要素３５と連係するように構成している第２の下側ハウジング２５とがある。
【００２１】
図示した変形態様において、表面シェル３には、少なくとも第４のガイドメンバー４１があり、これは、実質的に第３の軸Ｄ３と平行であり異なる第４の軸Ｄ４を軸とする回転体に対応する形状を有し、組み立て位置において、第１の軸Ｄ１又は第２の軸Ｄ２と整列するように構成している。
【００２２】
特定の変形態様において、腕輪の外観のために表面シェル３が特定の向きを向いている必要がある場合、第１の上側突出要素３４が、第２の上側突出要素３５とは異なる輪郭を有するようにして、組み立て位置において、表面シェル３が基礎２に対してユニークな向きを向いていることを確実にする。同様に、変形態様の１つでは、下側ハウジング２４が、第２の下側ハウジング２５とは異なる輪郭を有するようにして、組み立て位置において、表面シェル３が基礎２に対してユニークな向きを向いていることを確実にする。
【００２３】
好ましいことに、表面シェル３が完璧に配置され確実に保持されることを確実にするために、基礎２には下側支持面２９がある。この下側支持面２９は、組み立て位置における三次元的な保持のために表面シェル３にある上側サポート表面３９と相補的な形態で連係するように構成している。したがって、基礎２によって完璧に補強され腕輪１０に与えられる機械的な応力をすべて吸収するような比較的薄い表面シェル３を作ることができる。特に、特定の変形態様において、表面シェル３は貴金属合金で作られている。例えば、１８カラットの金合金である。そして、粉末度の必要な基準を尊重するために、この表面シェル３の厚みは、好ましくは、少なくとも０．５ｍｍである。本発明は、塊状の固体の貴金属部品を形成する当該シェルに完璧に適している。これは、腕輪を向上させ、単純な表面処理と比べて非常に魅力的な外観を有し、電気鋳造される中空部品よりもはるかに堅牢性があり、使用する貴金属の量の観点から非常に経済的である。
【００２４】
少なくとも第１のガイドメンバー２１又は第２のガイドメンバー２２は、腕輪１０の別の要素とのヒンジ付け接続用のアーバー１３を受けるように構成している。
【００２５】
特定の図示していない変形態様において、少なくとも第１のガイドメンバー２１又は第２のガイドメンバー２２は、腕輪１０の他の要素とのヒンジ付け接続のために、基礎２にある他のガイドメンバーとは異なる。
【００２６】
好ましくは、組み立て位置では、表面シェル３は、基礎２を少なくとも部分的に包囲する。
【００２７】
特に、表面シェル３は、少なくとも２つの整列したヨーク３７を有し、各ヨーク３７は、第３の軸Ｄ３を軸とする形を有する第３のガイドメンバー３１を有し、組み立て位置において、基礎２にある一方の側の側面２８上に配置されるように構成している。
【００２８】
特に、表面シェル３は、少なくとも２つの整列したヨーク３７を有し、各ヨーク３７は、第４の軸Ｄ４を軸とする形を有する第４のガイドメンバー４１を有し、組み立て位置において、基礎２にある一方の側の側面２８上に配置されるように構成している。
【００２９】
特に、図示した変形態様において、表面シェル３は、少なくとも正面方向Ｆから見たときに基礎２を隠すように構成しており、この正面方向Ｆからユーザーに見られるように意図された外観表面３０を有する。
【００３０】
変形態様の１つにおいて、表面シェル３は、貴重な材料又は貴金属合金で作られており、又は前記外観表面３０を含み貴重な材料で作られている付加される要素を有し、又は外観表面３０を含み貴重な材料の表面層を有する。
【００３１】
図示した変形態様において、基礎２は、単独で腕輪１０の他の要素との接触に耐えこれらの要素が表面シェル３から距離を保つように構成しているような周部当接面２７を有する。
【００３２】
特定の変形態様において、第３のガイドメンバー３１は、表面シェル３の全幅を横断する。
【００３３】
特定の図示していない変形態様において、第１のガイドメンバー２１と第２のガイドメンバー２２は、基礎２の全幅を横断する。
【００３４】
図示している特定の変形態様において、少なくとも第１のガイドメンバー２１又は第２のガイドメンバー２２は、基礎２の全幅を横断しない非貫通のガイドメンバーである。
【００３５】
図示している特定の変形態様において、少なくとも第１のガイドメンバー２１又は第２のガイドメンバー２２には、アーバー１３を形成するアセンブリーねじの雄ねじと連係するように構成している雌ねじが形成されている。
【００３６】
特定の変形態様において、Ｈ字形リンク１１の側方部１４にはそれぞれ、アーバー１３を形成するアセンブリーねじの雄ねじと連係するように構成している少なくとも１つの雌ねじが形成されている。このアーバー１３には、基礎２のボア内にて回転する滑らかな肩部がある。
【００３７】
図示している特定の変形態様において、Ｈ字形リンク１１の側方部１４にはそれぞれ、基礎２にねじ込まれるアーバー１３を形成するアセンブリーねじを通すことを可能にするように構成している少なくとも１つのボアがある。このアセンブリーねじのねじ頭は、側方部１４上に配置される。
【００３８】
図示した特定の変形態様において、表面シェル３は、塊状の固体であり、断面がＵ字型であり、中心部を有する。この中心部は、基礎２に対向している側にて、組み立て位置において基礎２にある下側支持面２９と当接連係するように構成している上側支持面３９を有し、反対側においては、正面方向Ｆからユーザーに見られるように意図された外観表面３０を有する。この中心部は、２つの連続していないウィングを境界としており、このウィングにはそれぞれ、第３の軸Ｄ３を軸とする形を有する第３のガイドメンバー３１があり、組み立て位置において基礎２にある一方の側の側面２８上に配置されるように構成している。
【００３９】
当然、表面シェル３が両側に単一のガイドメンバー及び単一のヨークを有するような特別のリンクにも本発明を適用可能である。
【００４０】
腕輪１０の部品数が削減される。なぜなら、各アーバー１３（図の好ましい変形態様においてはねじ）によって、Ｈ字形リンク１１と基礎２の間の接続とヒンジの両方を確実にし、前記基礎２上に表面シェル３を保持するためである。腕輪１０は、弾性ピンを必要としない。このことは、この種のねじ込み接続が非常に堅く販売後の運用において変える必要がないので有利である。したがって、腕輪の寿命の間にいつでもカスタム化を変えることが可能である。
【００４１】
図示している変形態様において、腕輪１０には、端とクラスプの境界領域を除くと、異なる部品が４つしかない。
【００４２】
腕輪１０にある表面シェル３のそれぞれの材料を選択することは、その外観を決めることとなる。腕輪１０は、ツートンカラーであることができ、例えば、Ｈ字形リンク１１がステンレス鋼、チタン、又はセラミックスで作られており、表面シェル３が別の材料、特に、貴金属合金で、作られているようなツートンカラーであることができる。腕輪１０は、異なる合金によって作られた表面シェル３によって容易に多数の色を有するようにすることができる。
【００４３】
当然、各表面シェル３には、表面処理を施すことができる。特に、染め、及び／又はエッチング及び／又は少なくとも１つの貴重なセット石などである。このような腕輪１０をカスタム化することは容易である。具体的には、その物の寿命の間に、そのユーザーはそれらの表面シェル３を単に交換して、腕輪１０の外観を完全に変えるようにすればいい。
【００４４】
本発明は、さらに、当該腕輪１０を有する腕時計１００に関する。本発明は、さらに、当該腕輪１０を有する装飾品２００に関する。
【符号の説明】
【００４５】
１  装飾リンク
２  基礎
３  表面シェル
１０  腕輪
１１  Ｈ字形リンク
１２  中央リンク
１３  アーバー
１４  側方部
２１  第１のガイドメンバー
２２  第２のガイドメンバー
２４、２５  下側ハウジング
２７  周部当接面
２８  側面
２９  下側支持面
３０  外観表面
３１  第３のガイドメンバー
３４  第１の上側突出要素
３５  第２の上側突出要素
３７  ヨーク
３９  上側支持面
４１  第４のガイドメンバー
１００  腕時計
２００  装飾品
Ｄ１  第１の軸
Ｄ２  第２の軸
Ｄ３  第３の軸
Ｄ４  第４の軸
Ｆ  正面方向
【図１】
2018099511.tif 000003
【図２】
2018099511.tif 000004
【図３】
2018099511.tif 000005
【図４】
2018099511.tif 000006
【図５】
2018099511.tif 000007
【図６】
2018099511.tif 000008
【図７】
2018099511.tif 000009
【図８】
2018099511.tif 000010
【図９】
2018099511.tif 000011
【図１０】
2018099511.tif 000012
【図１１】
2018099511.tif 000013
【図１２】
2018099511.tif 000014
【図１３】
2018099511.tif 000015
【図１４】
2018099511.tif 000016
【図１５】
2018099511.tif 000017